(57)【要約】【課題】ソールの底を取替え可能とすると共に、ソールから分離される底板を嵌合式構造により簡便で且つ堅固な結合がなされるようにしたボウリングシューズ用のソールを提供する。【解決手段】ソールの底（１１）の前後部分にスリップ板（１２）及び踵（１３）をそれぞれ着脱可能に設けたボウリングシューズ用のソール（１０）において、ソールの底（１１）には、外周側に保護枠（１５）が一体に形成され、その内側に嵌合溝（１４ａ）が形成された固定板（１４）を固着し、保護枠（１５）の内側には嵌合溝（１４ａ）に係合する嵌合突起（１６ａ）が形成された分離板（１６）をスリップ板（１２）及び踵（１３）に固着することとした。【選択図】図４
0003137502.tif 000002
【実用新案登録請求の範囲】
【請求項１】
ソールの底（１１）の前後部分にスリップ板（１２）及び踵（１３）をそれぞれ着脱可能に設けたボウリングシューズ用のソール（１０）において、
前記ソールの底（１１）には、外周側に保護枠（１５）が一体に形成されると共にその内側に嵌合溝（１４ａ）が形成された固定板（１４）を固着し、
前記保護枠（１５）の内側に形成された嵌合溝（１４ａ）に係合する嵌合突起（１６ａ）が形成された分離板（１６）をスリップ板（１２）及び踵（１３）に固着したことを特徴とするボウリングシューズ用のソール。
【請求項２】
前記固定板（１４）の外周側にはスリップ板（１２）及び踵（１３）を一緒に収容できるように帯状の保護枠（１５）を形成し、
前記保護枠（１５）の内側にはスリップ板（１２）及び踵（１３）が一緒に固着された分離板（１６）を嵌着したことを特徴とする請求項１に記載のボウリングシューズ用のソール。
【請求項３】
前記嵌合溝（１４ａ）は、入口側が狭く奥側が広い構成であり、嵌合突起（１６ａ）は逆に上部が広く下部が狭い構成であって、嵌合状態で不用意に分離されないようにしたことを特徴とする請求項１又は２に記載のボウリングシューズ用のソール。
【請求項４】
前記保護枠（１５）の内側に複数個の位置調節孔（１４ｂ）又は嵌合孔（１４ｃ）を形成し、
前記分離板（１６）には固定板（１４）の位置調節孔（１４ｂ）又は嵌合孔（１４ｃ）にそれぞれ係合する嵌合突起（１６ｂ、１６ｃ）を形成して互いに嵌合されるようにしたことを特徴とする請求項１又は２に記載のボウリングシューズ用のソール。
【請求項５】
前記保護枠（１５）には、分離溝（１５ａ）を形成することにより、スリップ板（１２）及び踵（１３）を容易に分離可能にしたことを特徴とする請求項１又は２に記載のボウリングシューズ用のソール。
【考案の詳細な説明】
【技術分野】
【０００１】
本考案は、ソールの底を取替えることができるようにして多様な特性を有するレーンに好適なソールを選択可能にしたボウリングシューズ用のソールに関し、より具体的には、ソールから分離される底板を嵌合式構造により簡便で且つ堅固な結合がなされるようにしたボウリングシューズ用のソールに関する。
【背景技術】
【０００２】
レーンに立てられたピンを倒す競技であるボウリング競技は、誰でも容易に学んで気軽に楽しめるレザースポーツであって、ボウリングにおいてステップは極めて重要な役割をするので、始めから正確に学ばなければならず、ステップの種類には一般に３ステップ、４ステップ、５ステップの３つがある。
【０００３】
前記のような種々のステップにおいては、身体的な条件に適するものを選択して習えばよく、最後に前方へ踏み出して体重が載る左足においてはスライドが十分に行わなければならず、後方に位置する右足においてはノンスリップ機能が付いていなければ、安定した姿勢でボールを転がすことができない。
【０００４】
かかるボウリングの特性に合わせて多様な形態のボウリングシューズが使用されており、これらのボウリングシューズの場合両側の靴のソールのスリップ部の形状を異にして最後のステップに係る左足側のボウリングシューズのソールがレーンにおいて滑り易いように構成されている。
【０００５】
従来、図１に示したように、左足側のボウリングシューズ用のソール１は、ソールの底２の前後部分にそれぞれスリップ板３及び踵４をベルクロファスナーのような固定手段５で固定して着脱自在にしたもので、多様なレーンの特性に応じてスリップ板３及び踵４を取り替えて使用し得るようにしたものがある。
【０００６】
しかし、前述のように構成される従来のボウリングシューズ用のソール１は、スリップ板３及び踵４がソールの底２の前後部分に全体として固着されているので、ユーザがソールの底２にスリップ板３や踵４を正確に接着し難く、スリップ板３の外周側の磨耗が加速されてスリップ板３の寿命が極めて短いし、更に踵４の場合ソールの底２の外部へ突出するように接着されているため、歩行時外部からの衝撃によって容易に分離されるという問題点があった。
【０００７】
前述したような従来の問題点を解決するために、ソールの底２の前後部分にそれぞれスリップ板３及び踵４をベルクロファスナーのような固定手段５で固定することで着脱自在にしたボウリングシューズ用のソール１において、前記ソールの底２の前方には外周側にスリップ板３の厚さと同一の厚さを有する保護枠６を形成し、該保護枠６の内側にスリップ板３を固着し、前記ソールの底２の後方にはソールの底２に結合突起７を突設し、踵４にはこれに係合する結合孔８を形成して、互いに結合した状態で固着させる構成が提案されている（例えば、特許文献１を参照）。
【０００８】
しかし、前記した先行考案の場合は、ベルクロファスナーのような固定手段５によってスリップ板３及び踵４を固定させる構成であるので、取替えなどのためにスリップ板３及び踵４を分離結合する過程において、埃などの異物が固定手段５に貼り付いて次第に固定力が低下するという問題点があり、また靴のソールの底２の広さだけのベルクロファスナーが必要となり、更にこれをそれぞれ互いに対応する位置、つまりソールの底２とスリップ板３及び踵４に別途に固着しなければならないので、製造コストが高くなり、作業性も低下するなどの多くの問題点があった。
【特許文献１】韓国実用新案登録第２０−０３４１１１７号
【考案の開示】
【考案が解決しようとする課題】
【０００９】
したがって、本考案は、上述したような従来のボウリングシューズのソールが有する諸問題点を解消するために案出されたもので、その目的は、ソールの底とスリップ板及び踵にそれぞれ結合される固定板及び分離板に互いに対応する嵌合溝及び嵌合突起を形成して互いに嵌合されるように構成することにより、ソールの底とスリップ板及び踵との結合が簡便に行われるだけでなく、十分な固定力を提供し、また構成部材の製造及び組立工程を簡素化させることで、製品の生産性の向上、製造コストの節減などの効果を同時に得ることができるボウリングシューズ用のソールを提供することにある。
【課題を解決するための手段】
【００１０】
上記目的を達成するために、本考案のボウリングシューズ用のソールは、ソールの底の前後部分にスリップ板及び踵をそれぞれ着脱可能に設けたボウリングシューズ用のソールにおいて、前記ソールの底には、外周側に保護枠が一体に形成され、その内側に嵌合溝が形成された固定板を固着し、前記保護枠の内側に形成された嵌合溝に係合する嵌合突起が形成された分離板をスリップ板及び踵に固着したことを特徴とする。
【考案の効果】
【００１１】
本考案によるボウリングシューズ用のソール１０は、ソールの底１１に固定板１４を取り付け、この固定板１４に嵌合溝１４ａを形成してスリップ板１２及び踵１３に固着されている分離板１６に形成されている嵌合突起１６ａをはめ込んで結合可能にしたもので、本考案によれば、ソールの底１１とスリップ板１２及び踵１３に固着されている固定板１４及び分離板１６を射出形成の方法で安価に製造でき、従来のように固定手段としてベルクロファスナーなどを別途に接着しなければならないなどの面倒無しに固定板１４及び分離板１６に形成されている嵌合溝１４ａと嵌合突起１６ａとの結合力によって堅固な固定状態を保つことができ、また固定板１４には位置調節孔１４ｂや嵌合孔１４ｃを形成し、分離板１６には嵌合突起１６ｂ、１６ｃを形成することによって、これらの正確な結合が短時間に容易に行われ、その結果、生産性の向上、低コスト化、使い勝手の向上、耐久性の向上など、期待以上の効果が得られる実用性のある極めて有用な考案である。
【考案を実施するための最良の形態】
【００１２】
以下、添付図面を参照して本考案の好適な実施形態を詳細に説明する。
【００１３】
図３は、本考案の好適な一実施形態を示す底面斜視図、図４は、本考案の底面分解斜視図、図５は、本考案における固定板を抜粋して示す底面図、図６は、本考案の要部を抜粋して示す拡大断面図、図７は、図６の分解斜視図である。
【００１４】
である。
【００１５】
本考案によるボウリングシューズ用のソール１０は、ソールの底１１の前後部分にスリップ板１２及び踵１３をそれぞれ着脱可能に設けた構成を積極的に改良考案したものであって、本考案ではソールの底１１に固着される固定板１４に、スリップ板１２及び踵１３に固着されている分離板１６を固定させることができるようにしたものである。
【００１６】
即ち、ソールの底１１に固着される固定板１４は、外周側に保護枠１５を一体に形成し、その内側に嵌合溝１４ａ及び複数の位置調節孔１４ｂを形成する。そして、保護枠１５の内側には結合状態で保護枠１５と同一の高さを有するように分離板１６が固着されたスリップ板１２及び踵１３をはめ込み、分離板１６では前記固定板１４の嵌合溝１４ａ及び位置調節孔１４ｂに係合する嵌合突起１６ａ、１６ｂを形成して互いに嵌合させる。
【００１７】
この際、嵌合溝１４ａは、図６乃至図７に示したように、入口側が狭く奥側が広い構成であり、嵌合突起１６ａは逆に上部が広く下部が狭い構成で、嵌合状態で不用意に分離されないようにする。
【００１８】
そして、前記保護枠１５にはスリップ板１２と踵１３の分離が容易に行われるように分離溝１５ａを形成する。
【００１９】
前記分離溝１５ａの好適な位置は、靴の外部デザインに影響を与えないように底面から見てスリップ板１２と踵１３とが向かい合う位置に形成する。
【００２０】
前記スリップ板１２及び踵１３は、多数の対を備えておき、ボウリング場のレーンの特徴に応じて取り替えて使用する。
【００２１】
一方、図１０は、本考案の他の実施形態を示す固定板の抜粋底面図である。同図に示すように、固定板１４は外周側に保護枠１５を一体に形成し、その内側には外周側の曲形の嵌合溝１４ａおよびその内側に垂直又は水平方向に更なる嵌合溝１４ｃを形成したものである（図示は省略したが、スリップ板１２及び踵１３に固着される分離板１６にはこれらと係合する嵌合突起１６ａ、１６ｂが形成されていることは当たり前である）。
【００２２】
図１１は、本考案のまた他の実施形態を示す底面分解斜視図である。同図に示すように、外周側にスリップ板１２及び踵１３を一緒に収容できるように帯状の保護枠１５の形成されている固定板１４をソールの底１１に固着し、保護枠１５の内側に嵌合溝１４ａ及び複数の位置調節孔１４ｂを形成し、保護枠１５の内側には結合状態で保護枠１５と同一の高さを有するようにスリップ板１２及び踵１３が一緒に固着された分離板１６を嵌着させ、分離板１６には前記固定板１４の嵌合溝１４ａ及び位置調節孔１４ｂに係合する嵌合突起１６ａ、１６ｂを形成して互いに嵌合させる。更に、前記分離溝１５ａの場合、ボウリングシューズの内側に形成することにより、ボウリングシューズの着用時、外部に露出されない。
【００２３】
図１２は、本考案のまた他の実施形態を示す底面分解斜視図である。同図に示すように、保護枠１５の内側に複数個の位置調節孔１４ｂ及び嵌合孔１４ｃを形成し、保護枠１５の内側にはスリップ板１２及び踵１３が一緒に固着された（或いはスリップ板１２と踵１３が別途に構成された）分離板１６を嵌着させ、分離板１６には前記固定板１４の位置調節孔１４ｂ及び嵌合孔１４ｃにそれぞれ係合する嵌合突起１６ｂ、１６ｃを形成して互いに嵌合させる。更に、前記分離溝１５ａの場合、ボウリングシューズの内側に形成することにより、ボウリングシューズの着用時、外部に露出されない。
【００２４】
前述のように構成される本考案によるボウリングシューズ用のソール１０は、ボウリング場のレーンにボールを転がすためにレーン上においてステップを踏むとき、最後に前方に踏み出して体重が載る左足（或いは右足）に適用すれば、十分なスライドが行われて安定性のある姿勢でボールを転がすことができる。
【００２５】
つまり、本考案はソールの底１１に外周側に保護枠１５が一体に形成された固定板１４を取り付け、固定板１４に形成されている嵌合溝１４ａに係合する嵌合突起１６ａの形成された分離板１６をスリップ板１２及び踵１３に取り付けることにより、互いに嵌合させるもので、スリップ板１２及び踵１３の着脱が極めて簡便に行われるとともに、固定状態を堅固に保つことができる。
【００２６】
本考案によれば、固定板１４の嵌合溝１４ａとスリップ板１２及び踵１３に固着されている分離板１６に形成される嵌合突起１６ａを互いに嵌合させる構成であるので、正確な位置に着脱が可能である。
【００２７】
即ち、スリップ板１２と踵１３を結合させるためには、図８に示したように、まずスリップ板１２及び踵１３の外周側を押圧して撓むようにした状態で、スリップ板１２及び踵１３と固着されている分離板１６に形成された嵌合突起１６ｂを固定板１４の位置調節孔１４ｂにはめ込んだ後、スリップ板１２及び踵１３の外周側を手で押圧すれば、固定板１４の嵌合溝１３ａと分離板１６に形成されている嵌合突起１６ａとが互いに嵌合されてスリップ板１２と踵１３との結合が行われるようになる。
【００２８】
前記のように嵌合される嵌合溝１４ａ及び嵌合突起１６ａの場合、断面構成が図６に示したように嵌合溝１４ａは入口側が狭く奥側が広い構成で、嵌合突起１６ａは逆に上部が広く下部が狭い構成であるので、嵌合状態でスリップ板１２及び踵１３の安全な結合状態を保障することができる。
【００２９】
更に、スリップ板１２及び踵１３を取り替えるためには、図９に示したように、シューズを覆した状態で、スリップ板１２及び踵１３の向かい合う位置の保護枠１５に形成されている分離溝１５ａを介して指を差し込んでスリップ板１２及び踵１３を上方へ引っ張ると、簡単にこれらを分離することができ、取り替えようとするスリップ板１２及び踵１３を前述したような方法で結合して使用すればよい。
【００３０】
一方、本考案を図１１のように構成する場合、スリップ板１２及び踵１３の取替えが一気に行われ、一層使い勝手の向上を図ることができる。
【００３１】
また、本考案を図１２のように構成する場合、シューズを着用した状態で歩行する場合、靴のソールが曲げられるときも固定板１４とスリップ板１２及び踵１３との結合状態を堅固に保つことができる。
【００３２】
以上、本考案ではボウリングシューズに限定して説明したが、図１１のように構成する場合、各種の靴類に本考案の技術構成を同様に適用することができることは明らかである。
【図面の簡単な説明】
【００３３】
【図１】従来のボウリングシューズ用のソールを示す底面分解斜視図である。
【図２】従来のボウリングシューズ用のソールを示す底面分解斜視図である。
【図３】本考案の好適な一実施形態を示す底面斜視図である。
【図４】本考案の底面分解斜視図である。
【図５】本考案における固定板を抜粋して示す底面図である。
【図６】本考案の要部を抜粋して示す拡大断面図である。
【図７】図６の分解斜視図である。
【図８】本考案が適用されたスリップ板及び踵の結合例を示すための断面図である。
【図９】本考案が適用されたスリップ板及び踵の分離例を示すための断面図である。
【図１０】本考案の他の実施形態を示す固定板の抜粋底面図である。
【図１１】本考案のまた他の実施形態を示す底面分解斜視図である。
【図１２】本考案のまた他の実施形態を示す底面分解斜視図である。
【符号の説明】
【００３４】
１０    ボウリングシューズ用のソール  
１１    ソールの底
１２    スリップ板
１３    踵 
１４    固定板
１４ａ    嵌合溝
１４ｂ    位置調節孔
１４ｃ    嵌合孔
１５    保護枠
１５ａ    分離溝
１６    分離板
１６ａ、１６ｂ、１６ｃ    嵌合突起
【図１】
0003137502.tif 000003
【図２】
0003137502.tif 000004
【図３】
0003137502.tif 000005
【図４】
0003137502.tif 000006
【図５】
0003137502.tif 000007
【図６】
0003137502.tif 000008
【図７】
0003137502.tif 000009
【図８】
0003137502.tif 000010
【図９】
0003137502.tif 000011
【図１０】
0003137502.tif 000012
【図１１】
0003137502.tif 000013
【図１２】
0003137502.tif 000014